(57)【要約】香り材料を収納するリザーバを含むとともに、キャリアーガスの前記リザーバ中への流入と、香り含有キャリアーガスの前記リザーバからの流出とを可能にするチャネルを備える、香りカートリッジであって、前記チャネルが毛細管として定義され、該毛細管の内径および長さが、前記キャリアーガス流が遮断されたときに、前記リザーバから前記カートリッジ外部のヘッドスペース中に香りが漏れるのを防止または実質的に防止する閉止手段として作用するのに十分な寸法である、前記香りカートリッジ。このカートリッジは、キャリアーガスに乗せた香りを、聴取者、観察者または消費者の近傍のヘッドスペース中に流すことによって、例えば、聴覚的および／または視覚的な動作または提示に対する、観察者、聴取者または消費者の感覚器認知を強化するのに用いることができる。
2005533544.tif 000002
【特許請求の範囲】
【請求項１】
香り材料を収納するリザーバを含むとともに、キャリアーガスの前記リザーバへの流入と、香り含有キャリアーガスの前記リザーバからの流出とを可能にするチャネルを備える、香りカートリッジであって、前記チャネルが毛細管として定義され、該毛細管の内径および長さが、前記キャリアーガス流が遮断されたときに、前記リザーバから前記カートリッジ外部のヘッドスペース中に香りが漏れるのを防止または実質的に防止する閉止手段として作用するのに十分な寸法である、前記香りカートリッジ。
【請求項２】
毛細管の直径が、それぞれ独立に０．１〜０．４ｍｍである、請求項１に記載のカートリッジ。
【請求項３】
毛細管の長さが、それぞれ独立に２０〜３０ｍｍである、請求項１または２に記載のカートリッジ。
【請求項４】
香り漏れの速度が、毎秒４００ｎｇを超えない、請求項１に記載の香り収納カートリッジ。
【請求項５】
請求項１〜４のいずれかに記載のカートリッジを、１つまたは複数その中に埋め込んだ、支持体。
【請求項６】
クレジットカードの形状の、実質的に平坦な本体を含む、請求項５に記載の支持体。
【請求項７】
１つまたは複数のカートリッジ中に経時的かつ逐次的にガス流を通過させ、任意選択で、聴覚機器または視覚機器からの信号を中継し、それによって匂いの提示を聴覚表示および／または視覚表示と同期させることに関する、デバイスによって読み出される命令を含む機械可読マイクロプロセッサチップを、外部表面上に備える、請求項７または８に記載の支持体。
【請求項８】
請求項１〜７のいずれかに記載の１つまたは複数のカートリッジ、または１つまたは複数のカートリッジを収納する支持体を受け入れるように適合された、キャリアーガスを排出するためのポンプ手段を含む、デバイス。
【請求項９】
聴覚的および／または視覚的な動作または提示の観察者、聴取者または消費者による感覚器認知を強化する方法であって、キャリアーガスを、請求項１〜８のいずれかに記載のカートリッジ、支持体またはデバイス中に通し、それによって前記観察者、聴取者または消費者の近傍のヘッドスペース中に香りを提示するステップを含む、前記方法。
【発明の詳細な説明】
【発明の詳細な説明】
【０００１】
本発明は、香り（fragrance）を貯蔵するとともに、その香りを、要求に応じて、カートリッジを通して流すことのできるキャリアーガス流によって放出する、香りカートリッジに関する。
【０００２】
匂い提示（odor presentation）は、通常、香気瓶（scent bottles）および吸収紙嗅ぎ片（absorbent paper smelling strips）、香気ペン（scent pens）または嗅覚計（olfactometers）を使用して実施されてきた。一方で、これらの提示方法には、投与が不正確になること、および液体サンプルにより表面が汚染される可能性があるという問題があり、他方では、投与装置（dosing device）が複雑であるという問題があった。近年、キャリアーガスの流れによって経時的に調節して香りを放出する以前に、長期間、香りを貯蔵することのできる、香りカートリッジが提案されている。
【０００３】
香りカートリッジは、ＦＲ２７７１９３０において公知である。これらのカートリッジは、香りをキャリアーガス流に乗せて経時的に調節して放出できることが記載されている。カートリッジは、均一な断面積の円筒形リザーバからなる。香りは、リザーバ内に収納されて、適当なキャリアー材料に保持されている。貯蔵中の香りの損失を防止するためのリザーバの閉止は、リザーバの両端をシールする可撓性膜ディスク（flexible membrane disc）によって提供される。中空針またはカニューレ（cannulae）によってこの膜に穴が開けられると、香りが放出され、それによって、この香りはキャリアーガス流に乗ってリザーバから出て、針またはカニューレを通過して流れることが可能となる。
【０００４】
この先行技術は、貯蔵および前記カートリッジからの香りの放出を容易にするのに必要なカートリッジの寸法要件については、いかなる情報も開示していない。貯蔵および放出は、単に、カニューレを使用して可撓性膜に穴開けおよび再シールをすることに基づいている。このような方策によって、キャリアーガスに乗せてそのようなカートリッジから香りを有効に放出することができるが、ガス流が遮断されると、香りはカニューレから漏れ続け、カニューレの回りに強い香りヘッドスペースを検出することができる。このような望ましくないヘッドスペースの出現は、カニューレを取り外すことによって矯正することができるが、反復的な穴開けおよび除去を行うと、不可避的に、膜のシール特性が損われ、結果的にシール特性の不全と漏れにつながる。さらに、カニューレの取り外しには、機械的な操作が必要となる。これを手作業による介入で行う場合には、１つの香り調合（fragrance accord）の排出から別のものへの切り替えの工程は、時間がかかりかつ面倒であり、応答性よく経時的に香りを放出するために、リザーバへの迅速な出し入れが必要な場合には、このカートリッジは実用的ではなくなる。さらに、この操作に対して自動化手段を設ける場合には、それによって、カートリッジ、またはカートリッジと相互作用する手段の設計の複雑さが増し、そのために香り送達を達成するための費用が増加する。
【０００５】
香り材料を、キャリアーガスに乗せて要求に応じ、かつ時間的に調整して放出することができるとともに、起動していないときには、低コストで大量生産が可能な手段を使用することによって、本質的に漏れなく香りを貯蔵することのできる、香りカートリッジを提供することがなお必要とされている。
香りの拡散挙動の研究から、非常に拡散性の高い香り材料であっても、その単位時間当たりの変位は、著しく少量であることがわかった。また、驚くべきことに、香り分子を狭い毛細管を通過して拡散させると、最も拡散性の高い分子であっても拘束を受けて、その結果、毛細管は本質的に閉止されているかのように作用することもわかった。このことから、流れを遮断するのに機械的な介入を必要とすることなく、香り収納リザーバからの香りの流れを起動および遮断する非常に簡単な手段の開発が可能となった。
【０００６】
したがって、本発明は、第１の態様において、香り材料を収納するリザーバを含むとともに、キャリアーガスの前記リザーバ中への流入と、香り含有キャリアーガスの前記リザーバからの流出とを可能にする注入チャネルおよび放出チャネルを備える、香りカートリッジであって、前記チャネルが毛細管として定義され、該毛細管の内径および長さが、前記キャリアーガス流が遮断されたときに、前記リザーバから前記カートリッジ外部のヘッドスペース中に香りが漏れるのを防止または実質的に防止する閉止手段として作用するのに十分な寸法である、前記香りカートリッジを提供する。
【０００７】
「実質的に防止する」という語句は、香り漏れと関係して、何らかの香り漏れが発生する範囲において、漏れ速度が非常に低いために、カートリッジ、またはカートリッジを収納するデバイス外部のヘッドスペース中に発散する漏出香りの濃度が、ユーザーによる検出レベルより低いことを意味する。実用的なガイドとしては、いかなる方法においても本発明を限定するものではないが、カートリッジの構成は、香り漏れ速度が毎秒４００ｎｇを越えないようにすべきである。
【０００８】
本発明によるカートリッジは、要求に応じて香り材料を放出することによってカートリッジまたはデバイスの外部にユーザーが知覚することのできる香りのヘッドスペースを形成するために、ポンプ手段を収納するデバイスに連結することができる。さらに、キャリアーガスを所定の手順に従って起動および遮断すると、放出毛細管は、本質的に、制御下で応答性よく香りを放出することを防止または許可するバルブとして作用する。したがって、匂い物質（odourant）を、必要な時にヘッドスペースに正確に送達することが可能であり、漏出香りがヘッドスペースに送達されることがなく、それによってガス流が遮断された後のヘッドスペースの汚染が回避される。したがって、異なる香り材料を収納する一連のカートリッジを、前記カートリッジを通過するキャリアーガスの流れを経時的に調整して制御するデバイスに連結すると、異なる香りを、所定の順序で放出することができる。
【０００９】
これによって、聴覚／視覚機器から受け取る信号に従って、所与のカートリッジを通過するガス流を起動および遮断して、それによって香り放出をある視覚信号および／または音響信号と同期させ、その結果、消費者、観察者または聴取者が、フィルム、音楽、またはプレゼンテーションなどのパフォーマンスを聞くおよび／または見る一方で、対応する匂い印象をその周囲のヘッドスペースにおいて感受することができるようにする可能性が生れる。このような同期効果を実現するのに必要な応答性を得ることは、香り放出のオンオフを切り替えるためにリザーバからカニューレを機械的に切り離したり再接続したりすることを必要とする、既知のカートリッジを使用しては、これまでのところ不可能であった。あるいは、少なくとも、これをコスト効率よく達成することはできなかった。
【００１０】
注入／放出毛細管が、閉止手段として作用するために適当な内径と長さのものでなくてはならないことは、本発明の重要な観点である。これらの毛細管が、拡散による香り漏れを実質的に防止することができるという驚くべき発見を一旦知らされると、当業者にとっては、その特定の目的のために毛細管の直径および長さを選択することは簡単なことである。したがって、非常に高い蒸発圧と非常に低い検出閾値を有する香り材料を対象とすることが可能であり、外部ヘッドスペース内において、検出のレベルよりも低いレベルまで香り漏れを低減することを可能にする、最大直径および最小長さを計算することができる。そのような香り材料の例としては、エチルアセテート、ミルセンおよびオイカリプトールがある。
【００１１】
香り漏れのレベルが検出可能かどうかを評価するためには、関係するヘッドスペース容積を定義しなくてはならない。本発明のカートリッジが、主として、少量の香りをユーザー近傍の小さなヘッドスペース中に放出するのに使用するものであると想定して、この決定に関係するヘッドスペースを１リットルとする。これには、一般に、成人は１分間に８〜１０リットルの割合で空気を吸入することも考慮している。したがって、関係するヘッドスペースは、６〜８秒の間に吸入されることになる。したがって、このような厳格な条件において、最大内径、および前述の香り材料の実質的な漏れを防止するために必要な最小長さを決定することによって、調香師のパレット内で利用可能なすべての香り材料の漏出を実質的に防止するカートリッジを製造することができる。
【００１２】
したがって、本発明は、別の観点においては、カートリッジを形成する方法であって、以下に開示する方法論に従って、本発明の意味の範囲において効果的な閉止手段として毛細管が作用することを保証にするために、毛細管の寸法を決定するステップを含む方法を提供することである。本発明の別の観点は、ヘッドスペースに香りを供給する方法であって、以下に記載する選択基準に従って香りカートリッジを選択するステップを含む方法を提供することである。
【００１３】
気体中の分子の変位は、空気流の変動の結果として、また拡散によって、発生する可能性があることはよく知られている。狭い毛細管内では、空気流の影響はほとんど、またはまったくないので、分子変位は、本質的に拡散によって支配される。分子は、一連の不規則運動において高濃度の位置から低濃度の位置へと拡散する。これらの不規則運動は、気体分子とその隣接分子との間の衝突の結果として発生する。この不規則運動によって、気体分子は、単位時間当たりの特有の変位を有することになり、それは、その寸法、質量および極性などの、その分子の固有特性に関係する。与えられたある気体分子の変位発生の傾向は、その拡散係数（Ｄ）によって表わされ、ｃｍ２／ｓの単位で表わされる。ある分子に対する拡散係数は、「Gas Chromatographic Methods for the Assessment of Binary Diffusion Coefficients for Compounds in Gas Phase」、J Chromatogr. 522 (1990) 277-284に記載されたBemgard AとColmsjoe Aの方法に従って計算することができる。これは、高度な計算モデルであり、広い範囲の分子に対して実験データで検証されている。
【００１４】
ある香り材料の拡散係数が与えられると、関係拡散対称性（relevant diffusion symmetry）に対して、単位時間当たりの拡散距離を計算することができる。「関係拡散対称性」とは、線形拡散モデル、例えばMartin Quack、「Molekulare Thermodynamik und Kinetic: Teil 1」Chemische Reaktionskinetik; Ch 8 at p216-225, VDF publication 1986に記載されたものを仮定している。このモデルは、気体の分子が管に沿って一次元で運動するものと仮定する。このモデルによれば、分子が移動する距離ｒｄｉｆｆは、次の式で得られる。
【数１】
2005533544.tif 000003
ここで、Ｄは拡散係数（ｃｍ２／ｓ）、ｔは時間（秒）である。すなわち、大気温度および圧力でＤを計測して、所与の香り材料に対して、管に沿った１秒間の拡散距離を計算することができる。
【００１５】
さらに、毛細管の所与の内径に対して、毛細管内の香り材料の濃度を、原点（ｒ＝０）からの距離の関数（以下の式を参照のこと）として記述することが可能であり、この原点は、リザーバと毛細管がつながる位置に設定される。またさらに、気体の拡散は、一般拡散方程式で定義される２つのフィックの法則（Fick Laws）によって定義されること、またその場合に、明確に定義される２つの境界条件を有することは、通常の一般知識の範囲内である。第１には、毛細管入口（原点）において、香りの濃度ｃ（ｒ＝０）を蒸気圧とする。第２には、無限長の毛細管に対して、ｒ＝無限大における濃度はゼロとすることである。長さＬの毛細管の一端において、その出口において拡散する分子は、すぐさま乱流を生じ、したがって周囲純粋空気と混合すると仮定すると、ｃ（Ｌ）に対する境界条件は、ゼロに設定することができる。したがって、静的拡散方程式の解から、以下に示す毛細管内の濃度勾配が得られる。
【００１６】
Ｃ（ｒ）＝Ｃ（ｒ＝０）＋１／ｒ［（Ｃ（ｒ＝Ｌ）−Ｃ（ｒ＝０））／Ｌ］
ここで、
Ｃ（ｒ）は、原点から距離ｒの位置における濃度であり、
Ｃ（ｒ＝０）は、リザーバ内の香り材料のヘッドスペース濃度であり、
Ｃ（ｒ＝Ｌ）は、ゼロに設定される。
したがって、Ｃ（Ｌ−ｒｄｉｆｆ）は、放出口から計測して距離ｒｄｉｆｆにおける毛細管部分の香り濃度を表わす。この濃度に、長さｒｄｉｆｆおよび内部毛細管直径によって形成される面積（Ｖｄｉｆｆ＝Πｄ２／４）を有する毛細管の部分体積を乗ずることによって、漏れ速度（１秒当たりの質量損失）を計算することが可能である。
【００１７】
この計算された漏れ速度から、毎秒ヘッドスペース中に漏れている香りの量を、特定することができる。したがって、この量の香りを１リットルのヘッドスペース中に希釈することを仮定すると、毛細管寸法が、ヘッドスペース内部の知覚閾値濃度（Sensory Threshold Concentration）を防止するのに十分かどうかを判定するのは容易である。このようにして、本発明は、熟練者が必要以上の実験を行う必要なく適当なカートリッジの寸法を決定する簡単な方法を定義する。さらに、上記の理論的な評価と、エチルアセテート、ミルセンおよびオイカリプトールについての実験データとを比較することによって、以下の表１に示すように、理論と実験データとの高い相関が明らかになった。
【００１８】
【表１】
2005533544.tif 000004
【００１９】
表１を参照すると、蒸気圧および知覚検出閾値は、香り材料に特有のパラメータであり、香水製造技術（perfumery art）の当業者には良く知られている。香り材料の匂い値（Odour Value「ＯＶ」）は、無次元であり、ヘッドスペースにおける香り剤濃度をそれの知覚閾値濃度で除した比によって与えられる。単位（１）のＯＶは、閾値濃度に到達し、その結果として母集団の５０％がヘッドスペースにおいて香りを検出できること、すなわち平均的な知覚能力を有する人によるそれの検出が純粋に偶然によるものであることを意味する。閾値濃度は、標準試験方法ＡＳＴＭ Ｅ１４３２−９１に従って計測することが可能であり、嗅覚計手段によるか、または嗅ぎ瓶（sniff-bottles）を使用して、提示したヘッドスペースをパネリストに評価させることによって計測する。
【００２０】
これらの結果は、香水調合師のパレットにおいて最も拡散性の高い材料の１つである、エチルアセテートについては、漏れ速度がやや高いので、１．２ｍｍの直径に対して１６．５ｍｍの長さは小さすぎ、その結果として「ＯＶ」は閾値より６倍高いことを示している。しかしながら、直径を０．４ｍｍまで低減すると、漏れは検出不可能となる。オイカリプトールについての結果も、エチルアセテートについてと同様なパターンに従うが、ミルセンでは、いずれの放出管についても、検出不可能な漏れであることを示している。
【００２１】
これらの結果によって、さらに実証されることは、本発明は、既知であるか、または当該技術において知られている技法によって計測することのできる、香り材料の拡散係数データに基づいて、カートリッジ寸法を計算する簡単で確実な方法を記述していることである。実際に、そのような毛細管を収容するカートリッジの全体寸法の観点において約３０ｍｍの放出毛細管長さが許容できる長さであるならば、香水調合師に知られているすべての香り材料を、０．４ｍｍ以下の毛細管内径を有する、本発明によるカートリッジ内に本質的に閉じ込めることが可能であることを、本発明は実証するものである。本発明による好ましいカートリッジの内部毛細管直径は、０．１〜０．４ｍｍである。本発明による好ましいカートリッジの毛細管長さは、約２０〜３０ｍｍである。
【００２２】
しかしながら、注入毛細管および放出毛細管の寸法は、カートリッジ（単数または複数）を収容するかまたはそれに接続する、デバイスの形状および構成に応じた、当業者による選択の問題である。さらに、本発明は、毛細管がその言明された機能を満足するのに純粋に必要なもの以外の、毛細管のいかなる特定の長さまたは直径にも限定されるものではない。そうではなく、カートリッジは、その目的とする使用に適当であり、それを挿入または接続しようとするデバイスに適する、任意の形状または構成とすることができる。スペースの経済性が問題である場合には、短めの毛細管長さが望ましく、毛細管の内径は、それに応じて狭くしなくてはならなくなる。
【００２３】
にもかかわらず、注入毛細管および放出毛細管の直径を低減する許容範囲には限界がある。毛細管の直径は、キャリアーガスをカートリッジ中に押し込むために、キャリアーガスの圧力が極端に高くなるほど、狭くすべきではない。キャリアーガスの圧力は、リザーバ中に収容された香り材料で飽和したヘッドスペースを、放出口を介して外部ヘッドスペース中に、短い時間、例えば２〜５秒の間に追い出すのに十分でなくてはならないが、大気圧力より約２００ｍｂａｒ高い圧力を超えないのが好ましい。この圧力より上では、リザーバ内の香り成分の蒸気圧が、香りを所望の方法で放出するのに十分なほど迅速にリザーバ内に飽和ヘッドスペースを生成することが不可能となる程度まで、変化する可能性がある。これらの要因に関して、当業者であれば、毛細管に対する許容できる最小内径を決定する上で困難はないであろう。特に、ガス圧力の問題を回避するために、管の最小内部直径は、約０．１ｍｍ程度でなくてはならない。しかしながら、例えば、小型版のカートリッジを製造するために、管の長さを徹底的に低減する必要がない限り、そのような小径にする必要が生じることはあり得ない。その場合にも、管長を維持しながら、単に毛細管をコイル状に巻く方策を用いることによって、小型化は可能である。
【００２４】
一般に、カートリッジは主として、少量の香り材料を収容する小さなヘッドスペース、例えば約１リットルだけを生成するために使用するためのものであるので、小径毛細管、例えば０．１〜０．４ｍｍが好ましいが、それにもかかわらず、より大きなヘッドスペースに香気を供給することが必要な場合には、より大きな外部ヘッドスペースを飽和させるのに必要なより高い濃度の香りを提供するために、相対的に短い時空間において、大容量のキャリアーガスを、カートリッジ中に通す必要があることになる。したがって、このようなより大量のキャリアーガス流を収容するために、毛細管のより大きな内径、すなわち１．２ｍｍより大きく、最大約０．５ｃｍまでが必要となる。そのような場合には、管の長さは、相応して増大させなくてはならなくなる。ここでも、空間利用の効率性が問題となる場合には、毛細管をコイル状に巻くことができる。
【００２５】
カートリッジの貯蔵中、またはキャリアーガスがカートリッジを通過して流れない期間中における香り材料の漏出を防止するために、注入毛細管は、好ましくは、放出毛細管と同様の構成すべきである。好ましくは、注入毛細管内部に、活性炭素のプラグを配置する。これには、感覚刺激特性（organoleptic properties）を有し、かつカートリッジから抽出される香り調合に悪影響を与える、不純物の注入キャリアーガスを追い出すという利点がある。このプラグは、使用時に、キャリアーガスポンプの故障による背圧事象の発生時に、管の方向への香り材料の流れを防止することができるという、追加の利点がある。
【００２６】
同様にして、放出管にプラグを含めることによって、圧力下で、粒子状リザーバキャリアー材料がリザーバから放出毛細管を介して外に放出されるのを防止することができる。そのようなプラグは、綿または水晶ガラスウールなどの適当に不活性な材料で形成することができる。
本発明のカートリッジは、香り材料の検出可能な漏れを防止するが、にもかかわらず、最も拡散性の強い香り材料の場合には、長期の貯蔵中には非常に大きな香り損失が依然として発生することになる。それにもかかわらず、大多数の香りに対しては、長期間にわたる香りの損失は、無視できるほどである。しかしながら、最も拡散性の高い香り材料の消耗の問題がある限り、特に、リザーバがこれらの材料を低濃度でしか含まない場合には、毛細管の注入口と放出口とを横断して気密シールを形成する、シールテープまたはその他を追加するという追加の予防策を講じることができる。そのようなテープは、貯蔵中には存在して、使用直後に、除去または穴開けしてもよい。
【００２７】
上記の非常に拡散性の高い香り材料を別にして、本発明は、キャリアーガス流が遮断されるときに漏れがないか、または実質的に漏れがないことを保証して、すべての種類の香り材料を送達するのに使用することができる。またさらに、カートリッジの寸法を小さくすることによって、小型化を可能にしながら、許容できる圧力で許容できるキャリアーガスを流すことにより、香り材料の飽和ヘッドスペースを、要求に応じて迅速に生成することを可能にすることもできる。これは、香水調合師が利用可能な任意の種類の香り材料、例えば既知の化合物の分類、例えば、酸類、エステル類、アルコール類、アルデヒド類、ケトン類、ラクトン類、ニトリル類、エーテル類、アセテート類、炭水化物、硫黄、窒素および酸素を含有する複素環式、多環式および大環式化合物、ならびに天然または合成産の精油を、本発明に使用することができることを意味する。そのような香り材料は、例えば、S. Arctanderによる「Perfume Flavors and Chemicals」、Vols. 1 and 2, Arctander, Montclair, NJ USA 1969に記載されている。香り材料には、任意選択で、ジプロピレングリコール、プロピレングリコール、ジエチルフタレート、ベンジルベンゾエート、トリエチルシトレート、イソプロピルミリステート、カルビトール、およびヘキシレングリコールなどの無臭液体、またはそれらの組合せを含めることができる。
【００２８】
これらの一般クラスから選択される香りの、説明のための例としては、Ｃ６ヘキシル、アセトフェノン、Ｃ６ヘキシルアルコール（alcohol C6 hexylic）、Ｃ７ヘプチルアルデヒド（aldehyde C7 heptylic）、Ｃ９イソノニルアルデヒド（aldehyde C9 isononylic）、アリルカプロエート、アリルオエナンテート（allyl oenanthate）、アミルブチレート、アミルビニルカルビノール（amyl vinyl carbinol）、アナペア（anapear）、ベンズアルデヒド、ベンジルホーメート、ベンジルメチルエーテル、ボルニルアセテート液（bornyl acetate liquid）、ブチルアセテート、カンフェン、カルビトール（carbitol）、シトロネラール、ｐ−クレジルメチルエーテル（cresyl methyl ether para）、シクラールＣ（cyclal C）、ｐ−シメン（cymene para）、ｔｒａｎｓ−４−デセナール（decenal-4-trans）、δ−３−カリーン（delta-3 carene）、ジエチルマロネート（diethyl malonate）、ジヒドロアネトール（dihydro anethole）、ジヒドロミルセノール（dihydro myrcenol）、ジメチルオクテノン（dimethyl octenone）、ジメトール（dimetol）、ジミルセトール（dimyrcetol）、ジペンテン、エストラゴール（estragole）、エチルアセテート、エチルアセトアセテート、エチルアミルケトン、エチルベンゾエート、エチルブチレート、エチルカプロエート、エチルイソアミルケトン、エチルイソブチレート、エチルメチル−２−ブチレート、エチルオエナンテート（ethyl oenanthate）、エチルプロピオネート、オイカリプトール（eucalyptol）、α−フェンコン（fenchone alpha）、フェンキルアセテート、フェンキルアルコール（fenchyl acetate）、フレスコメンテ（freskomenthe）、ゲラノジル（geranodyle）、グアヤコール（guaiacol）、
【００２９】
ｔｒａｎｓ−２−ヘキセナール（hexenal-2-trans）、ｃｉｓ−３−ヘキセノール、ヘキセニルアセテート、ｃｉｓ−３−ヘキセニルブチレート、ｃｉｓ−３−ヘキセニルホーメート、ｃｉｓ−３−ヘキセニルイソブチレート、ｃｉｓ−３−ヘキセニルメチル−２−ブチレート、ｃｉｓ−３−ヘキセニルプロピオネート、ヘキシルブチレート、ヘキシルイソブチレート、ヘキシルプロピオネート、ハイドラトロピックアルデヒド（hydratropic aldehyde）、イソアミルプロピオネート、イソブチルイソブチレート、イソシクロシトラール（isocyclocitral）、イソペンチレート（isopentyrate）、イソプロピルメチル−２−ブチレート、イソプレゴール（isopulegol）、リーフアセタール（leaf acetal）、ライムオキサイド（lime oxide）、ライムトール（limetol）、リナロールオキサイド（linalool oxide）、リナロール、マンザネート（manzanate）、メロナール（melonal）、メントン（menthone）、メチルアミルケトン、メチルベンゾエート、メチルカモミール（methyl camomille）、メチルヘキシルケトン、メチルパンプルムス（methyl pamplemousse）、メチルサリチレート（methyl salicylate）、ノナニルアセテート（nonanyl acetate）、オシメン（ocimene）、オクテニルアセテート（octenyl acetate）、パンダノール（pandanol）、α−ピネン（pinene alpha）、β−ピネン、プレニルアセテート（prenyl acetate）、γ−テルピネン（terpinene gamma）、テルピノレン（terpinolene）、テトラヒドロシトラール、テトラヒドラリナロール、トリシクラール（tricyclal）、およびγ−バレロラクトン（valerolactone gamma）、
【００３０】
アセタールＥ、アセタールＲ、アセトアニソール（acetanisole）、アドクサール（adoxal）、アグルメックス（agrumex）、Ｃ１０デシルアルコール、Ｃ１１ウンデシレンアルコール、Ｃ１２ラウリンアルコール、Ｃ８オクチルアルコール、Ｃ９ノニルアルコール、Ｃ１１ウンデシレンアルデヒド、Ｃ１１ウンデシルアルデヒド、Ｃ１２ラウリンアルデヒド、アルデヒ（aldehy）、ｉｓｏ−Ｃ１１アルデヒド（aldehyde iso C11）、アリルアミルグリコラート、アリルシクロヘキシルプロピオネート、アンブリノール（ambrinol）、アミルベンゾエート、アミルカプロエート、アミルシンナムアルデヒド（amyl cinnamic aldehyde）、アミルフェニルアセテート、アミルサリチレート、合成アネトール（anethole synthetic）、アニシルアセテート（anisyl acetate）、アニシルアルコール、葯（anther）、ｐ−オーベピンクレゾール（aubepine para cresol）、ベンジルアセトン、ベンジルブチレート、ベンジルイソブチレート、ベンジルイソバレレート（benzyl isovalerate）、ベンジルプロピオネート、ベルガミルアセテート（bergamyl acetate）、ベリーフロール（berryflor）、ボアシリス（boisiris）、ブチルブチロラクタート（butyl butyro lactate）、ｐ−ブチルシクロヘキサノール、ｐ−ブチルシクロヘキシルアセテート、２次ブチルキノリン（butyl quinoline secondary）、カルボンラエボ（carvone laevo）、カリオフィレン（caryophyllene）、カシメラン（cashmeran）、セドレンエポキシド（cedrene epoxide）、セドロオキシド（cedroxyde）、セドリルメチルエーテル（cedryl methyl ether）、セレリケトン（celery ketone）、センチフォリル（centifolyl）、セトナール（cetonal）、α−セトン（cetone alpha）、シンナムアルデヒド（cinnamic aldehyde）、シンナミルアセテート（cinnamyl acetate）、シトラルジメチルアセタール、シトロジル（citrodyle）、シトロネロール（citronellol）、シトロネリルアセテート、シトロネリルブチレート、シトロネリルホーメート、
【００３１】
シトロネリルイソブチレート、シトロネイルニトリル、シトロネリルオキシアセトアルデヒド、シトロネリルプロピオネート、クローナル（clonal）、コニフェラン（coniferan）、クレゾール、ｐ−クレジルアセテート（cresyl acetate para）、ｐ−クレジルイソブチレート、クミンニトリル（cumin nitrile）、クミンアルデヒド（cuminic aldehyde）、クミニルアルコール（cuminyl alcohol）、シクラメンアルデヒドエキス（cyclamen aldehyde extra）、シクロガルバネート（cyclogalbanate）、シクロヘキシルエチルアセテート、シクロヘキシルサリチレート、シクロメチレンシトロネロール、シペレート（cyperate）、ダマセノン（damascenone）、β−デカヒドロナフチルホーメート（decahydro naphthyl formate beta）、δ−デカラクトーン、γ−デカラクトーン、デカトーン、デシルメチルエーテル、デルホーン（delphone）、ジヘキシルフマレート、ジヒドロアンブレート（dihydro ambrate）、ジヒドロシクラセット（dihydro cyclacet）、ジヒドロオイゲノール（dihydro eugenol）、ジヒドロファルネサール（dihydro farnesal）、β−ジヒドロイオノン（dihydro ionone beta）、ジヒドロジャスモン（dihydro jasmone）、ジヒドロリナロール（dihydro linalool）、ジヒドロテルピネオール（dihydro terpineol）、ジメチルアンスラニレート（dimethyl anthranilate）、ジメチルベンジルカルビノール、ジメチルベンジルカルビニルアセテート、ジメチルベンジルカルビニルブチレート、ジメチルフェニルエチルカルビノール、ジメチルフェニルエチルカルビニルアセテート、ジフェニルメタン、ジフェニルオキサイド、ジプロピレングリコール、
【００３２】
デュピカル（dupical）、エバノール（ebanol）、エチルカプリレート（ethyl caprylate）、エチルシンナメート（ethyl cinnamate）、エチルデカジエノエート（ethyl decadienoate）、エチルリナロール、エチルリナリルアセテート、エチルオクテノエート−２（ethyl octenoate-2）、エチルペラルゴネート（ethyl pelargonate）、エチルフェノキシアセテート、エチルフェニルアセテート、エチルフェニルグリシデート（ethyl phenyl glycidate）、エチルサリチレート、純粋オイゲノール、オイゲニルアセテート、ファルネセン（farnesene）、フェンアルデヒド（fennaldehyde）、フィクサンブレン（fixambrene）、フローラゾーン（floralozone）、フローラマット（floramat）、フロロール（florol）、フロローパル（floropal）、フォレノックス（folenox）、フォリオン（folione）、フォルローシア（folrosia）、フレイストーン（fraistone）、フラクトン（fructone）、フルーテート（fruitate）、ガルデノール（gardenol）、ガルドシクレン（gardocyclene）、ゲオリウッド（georgywood）、ゲラニオール（geraniol）、ゲラニトリル（geranitrile）、ゲラニトリルＴ、ゲラニルアセテート（geranyl acetate）、ゲラニルアセトン、ゲラニルブチレート、ゲラニルクロトネート、ゲラニルホーメート、ゲラニルイソブチレート、ゲラニルプロピオネート、ギブスコーン（givescone）、グリコリエラル（glycolierral）、グアイルアセテート（guaiyl acetate）、ジャイレイン（gyrane）、ヘリオトロピン結晶（heliotropine crystals）、ｃｉｓ−３−ヘキセニルベンゾエート、ｃｉｓ−３−ヘキセニルヘキセノエート、ｃｉｓ−３−ヘキセニルサリチレート、ｃｉｓ−３−ヘキセニルチグレート、ヘキシルベンゾエート、ヒドロキシシトロネラールジメチルアセタール、インドフロール（indoflor）、純粋インドール（indole pure）、インドレン（indolene）、β−イオノン（ionone beta）、イリサンシーム（irisantheme）、
【００３３】
α−イリソン（irisone alpha）、イロナール（ironal）、α−イロン（irone alpha）、イロンＥ、イロンＦ、イソＥスーパー（iso E super）、イソボルニルプロピオネート（isobornyl propionate）、イソブチルベンゾエート、イソブチルフェニルアセテート、イソブチルキノリン−２、イソブチルサリチレート、イソカリオルアセテート（isocaryol acetate）、イソオイゲノール、ジャスマル（jasmal）、δ−ジャスミンラクトーン、γ−ジャスミンラクトーン、ジャスモラクトーン（jasmolactone）、ｃｉｓ−ジャスモン、ジャスモニル（jasmonyl）、ケファリス（kephalis）、コーイヌール（kohinool）、ラビエノン（labienone）、ラクトスカトン（lactoscatone）、レマロームＮ（lemaromeＮ）、レモニール（lemonile）、リエラル（lierral）、リリアル（lilial）、リナリルアセテート（linalyl acetate）、リナリルブチレート、リナリルホーメート、リナリルイソブチレート、リナリルプロピオネート、リンデノール（lindenol）、マジャントール（majantol）、マヨル（mayol）、メタニルアセテート（menthanyl acetate）、メタンブレート（metambrate）、メトキシフェニルブタノン（methoxy phenyl butanone）、メチルアセトフェノン、メチルシンナメート、メチルシンナムアルデヒド（methyl cinnamic aldehyde）、γ−メチルデカラクトン（methyl decalactone gamma）、メチルジアンティリス（methyl diantilis）、メチルジフェニルエーテル、β−メチルイオナール（methyl ional beta）、メチルイソオイゲノール（methyl isoeugenol）、メチルオクタラクトン（methyl octalactone）、メチルオクチルアセトアルデヒド、メチルオクチンカルボネート（methyl octyne carbonate）、メチルフェニルアセテート、ｐ−メチルキノリン（methyl quinoline para）、モクサロン（moxalone）、ミラルデン（myraldene）、ネオフォリオン（neofolione）、ネロールＣ（nerol C）、
【００３４】
ネリルアセテート（neryl acetate）、ノナジル（nonadyl）、ノピルアセテート（nopyl acetate）、オクタヒドロクマリン（octahydro coumarin）、δ−オクタラクトン（octalactone delta）、γ−オクタラクトン、オルシニル−３（orcinyl 3）、オリヴォン（orivone）、オシロル（osyrol）、オキシオクタリンホーメート（oxyoctaline formate）、パルマバート（parmavert）、ピーチピュア（peach pure）、ペラルゴール（pelargol）、フェノキサノール（phenoxanol）、フェノキシエチルアルコール、フェノキシエチルイソブチレート、フェニルエチルアセテート、フェニルエチルアルコール、フェニルエチルブチレート、フェニルエチルホーメート、フェニルエチルイソブチレート、フェニルプロピオン酸アルデヒド（phenyl propionic aldehyde）、フェニルプロピルアセテート、フェニルプロピルアルコール、ピノアセトアルデヒド（pinoacetaldehyde）、プリカトン（plicatone）、プリカロン（precarone）、プルノリド（prunolide）、ピラロン（pyralone）、ラジャノール（radjanol）、レセダル（resedal）、ローディニルアセテート（rhodinyl acetate）、ルバフラン（rhubafuran）、ルボフィクス（rhubofix）、ルボフロール（rhuboflor)、ロサルヴァ(rosalva）、サンダローレ（sandalore）、センテナール（scentenal）、スカトール（skatole）、スピランブレン（spirambrene）、ステモーネ（stemone）、ストロベリーピュア（strawberry pure）、スチラリルプロピオネート（styrallyl propionate）、シリンガアルデヒド（syringa aldehyde）、タンジェリノール（tangerinol）、α−テルピネン（terpinene alpha）、テルピニルアセテート、テラニル（terranil）、テトラヒドロリナリルアセテート（tetrahydro linalyl acetate）、テトラヒドロミルセノール（tetrahydro myrcenol）、トリデセノニトリル（tridecenonitrile）、トロピオナール（tropional）、ウンデカトリエン（undecatriene）、ウンデカヴェトロル（undecavertol）、ヴェロウトーン（veloutone）、ヴェルドール（verdol）、バージルアセテート（verdyl acetate）、バージルプロピオネート、ヴェルナルデヒド（vernaldehyde）、ヴェチナール（vetynal）、ヴェチヴェナル（vetyvenal）、およびヴィリディン（viridine）、
【００３５】
アセタールＣＤ、アルドロン（aldrone）、アンブレットリド（ambrettolide）、アンブロキサン（ambroxan）、ベンゾフェノン、ベンジルベンゾエート、ベンジルシンナメート、ベンジルフェニルアセテート、セピオネート（cepionate）、セタロックス（cetalox）、シトロネリルエトクサレート（citronellyl ethoxalate）、シベトン（civettone）、ｐ−クレジルカプリレート（cresyl caprylate para）、ｐ−クレジルフェニルアセテート、シクロヘキサル（cyclohexal）、ジエチルフタレート（diethyl phthalate）、ジオン（dione）、δ−ドデカラクトーン、γ−ドデカラクトーン、エチルマルトール（ethyl maltol）、エチルバニリン（ethyl vanillin）、エチレンブラシレート（ethylene brassylate）、オイゲニルフェニルアセテート（eugenyl phenyl acetate）、エヴェルニル（evernyl）、フィクソリド（fixolide）、フロリドラール（florhydral）、ガラクソリド（galaxolide）、ゲラニルフェニルアセテート、ゲラニルチグレート（geranyl tiglate）、グリサルヴァ（grisalva）、ヘジオン（hedione）、ヘキシルシンナミックアルデヒド（hexyl cinnamic aldehyde）、ヘキシルサリチレート、イソメチルセドリルケトン（isomethyl cedryl ketone）、ライトン（laitone）、リナリルベンゾエート、リナイルシンナメート、リナリルフェニルアセテート、マルトール、マルチルイソブチレート（maltyl isobutyrate）、メチルセドリルケトン（methyl cedryl ketone）、メチルジヒドロイソジャスモネート（methyl dihydro isojasmonate）、ムスコン（muscone）、ミラルジルアセテート（myraldyl acetate）、ネクタリル（nectaryl）、オコウマル（okoumal）、オレンジアルデヒド、オラニール（oranile）、ペオニール（peonile）、フェニルエチルベンゾエート、フェニルエチルシンナメート、フェニルエチルフェニルアセテート、プロピルジアンチリス（propyl diantilis）、ロサセトール（rosacetol）、ロサフェン（rosaphen）、サンデラ（sandela）、ティベトリーデ（thibetolide）、チンベロール（timberol）、クエン酸トリエチル（triethyl citrate）、δ−ウンデカラクトン、バニリン、バニトロープ（vanitrope）、およびヴェルヴィオン（velvione）がある。
【００３６】
リザーバは、所望の装入量の香り材料を受け入れる一方で、その香り材料まわりに、短い時間、例えば数秒以内に生成すべき香り材料の飽和ヘッドスペースのための、適当な容積を残すように構成される。好ましくは、リザーバは、５ｍｇ〜５ｇまでの香り材料を受け入れるために、０．０１〜２０ｃｍ３の容積を有し、同時にキャリアー材料に応じて０．００５〜１０ｃｍ３のヘッドスペースに十分な容積を提供する。このヘッドスペースの上限は、前回のヘッドスペースがキャリアーガス上に放出された後に、迅速な、例えば１０秒以内、より好ましくは２〜５秒でのヘッドスペースの再飽和を可能にする。その下限は、強力な香り調合をユーザーに供給するのに十分な香りを気相で有する必要性から要求されるものである。
【００３７】
リザーバは、単に、香り油を収納してもよい。しかしながら、リザーバは、香り油を受け入れるためのキャリアー材料を収納しているのが好ましい。本出願において使用する「香り材料」という用語は、芳香剤単独およびキャリアー材料と組み合せた芳香剤の両方を包含する。多孔質および／または吸収性の任意のキャリアー材料を利用することができ、このキャリアー材料は、香り材料のいかなる成分についても活性ではなく、例えばキャリアー材料は、特定の香り材料成分に対して選択的に吸収性であってはならない。好ましくは、そのようなキャリアー材料は、高い配合の香り材料を受け入れることのできる多孔質物質である。
【００３８】
好適なキャリアー材料は、参照により本明細書に組み入れてある米国特許第５５７３９８４号に記載されている、多孔質ガラス物質である。上記のキャリアー材料を微細多孔質ガラスビーズの形態で使用することは、実用的に考えると、香り液の表面の割合が、活性表面に吸収されることなく２桁増幅されるという利点がある。さらに、粉末形態のキャリアー材料を使用する既知の系において一般的な特徴である、目詰まりが発生しない。
【００３９】
ＵＳ５５７３９８４に記載された多孔質ガラスビーズは、優れたキャリアー材料であるが、比較的高価である。その他の好適な材料としては、LiaVer（登録商標）または Rheopore（登録商標）などとして入手可能な多孔質ガラスビーズがあり、これらは、所望の粒子寸法に製粉の後、さらにガラスの製造に使用される硫黄含有化合物などの感覚刺激性材料をすべて洗浄する清浄化ステップの後に、上述の多孔質ガラスビーズと同様な方法で使用することができる。好適な材料の他の例としては、Porex（登録商標）の商標で市販されている、多孔質ポリエチレンポリマーおよびポリブチレンポリマーがある。
【００４０】
カートリッジは、そこを通過するキャリアーガスの圧力に耐えることができ、かつ取り扱いおよび貯蔵に関連するいかなる機械的応力にも耐えることのできる、自己支持材料（self-supporting material）で形成する必要がある。好ましくは、それは、不活性材料、すなわち香り材料と反応しない、または悪影響を与えない材料で形成する。最も好ましくは、カートリッジは、ガラス、ケイ素、または鋼（好ましくはステンレス鋼）もしくはアルミニウムなどの金属で形成し、これらは当該分野において知られているカートリッジに香りを貯蔵するのに一般的に使用される。また、香り整合性のある（fragrance compatible）ポリマー材料、または不活性ポリマー層で内部に裏当てをした、鋼またはガラスなどの材料の組合せを使用することも可能である。
カートリッジは、水晶、金属、ケイ素およびプラスチック材料に、当該技術において知られている、３次元微細構造を生成するための様々な技法を用いて形成することができる。好ましい一態様においては、カートリッジは、一体構造で形成され、毛細管およびリザーバ構造は、熱間エンボス加工またはレーザーエッチングなどの技法を使用して、ガラス、金属、ケイ素およびポリマーもしくはプラスチック材料の素材中に形成された空洞とすることができる。
【００４１】
好適なカートリッジ材料中に構造が形成されると、構造全体を、例えば構造上に、整合性のあるガラス、ケイ素、金属（鋼またはアルミニウムなど）または香り整合ポリマーまたはプラスチック材料をレーザー溶接によってシールした後に、キャリアー材料をリザーバおよびその上に適用した香り材料に追加することができる。この方法によって、１つまたは一連のカートリッジを、単一素材から製作することができる。このような製造技術によって、安価な方法でカートリッジを大量生産することが可能になる。このことは、カートリッジは使用後に廃却される交換可能要素として設計するのが好ましく、したがってそれらは、簡単で安価な構造でなくてはならないので、本発明の重要な利点を表している。さらに、毛細管およびリザーバの３次元微細構造を、この方法で形成することができるので、カートリッジは容易に小型化が可能である。
【００４２】
カートリッジ素材が十分な機械的強度を有する場合には、同一の素材から形成される１つまたは一連のカートリッジが、自己支持体として作用する。しかしながら、カートリッジの上に、例えばプラスチック材料、またはカートリッジに保護表面と追加の機械的強度を与えることのできる金属を積層するのが好ましい。したがって、カートリッジを収納する支持体は、本発明の別の態様を形成する。
【００４３】
支持体は、製造が容易であることから、例えば、既知の成形工法によって、プラスチック材料で形成するのが好ましい。支持体は、１つまたはある数のカートリッジを収容するために、キャリアーガスを供給するポンプを収納する任意適当なデバイス中に、装入または取り付けが可能なように構成しなくてはならない。支持体の構成に対してのこの機能的限定とは別に、支持体は、目に対するアピールを追加する任意の奇抜な設計要素を有してもよい。本発明の特に好ましい態様においては、支持体は、クレジットカードの形状に構成することができる。さらに、支持体には、香りに関する情報、広告、または装飾構造を追加する印刷物などの表面構造を含めることができる。さらに、支持体には、機械可読マイクロプロセッサチップを備えてもよい。このチップには、支持体およびカートリッジを不正使用または破壊することなく、カートリッジに収納される香り材料を使用することを防止する、セキュリティ関する特定の情報を含めることができる。さらに、このチップには、デバイス内のポンプによって読み出すことのできる情報を含めて、１つまたは複数のカートリッジから、視聴覚表示と同期させることのできる香りを、事前設定された順序で放出させるようにすることができる。
【００４４】
本発明によれば、カートリッジまたはカートリッジを収納する支持体は、ポンプを備えるデバイス中に取り付けるか、またはそれに接続することができる。簡単な一態様においては、支持体は、適当な導管、例えばカートリッジの数に対応する一連のフレキシブルパイプを介して、単にポンプに接続することができる。フレキシブルパイプの終端は、例えば、それぞれがカートリッジの注入ポートと気密接続で位置決めされるように適合されたオス部分を有する、フェルール（ferrule）にしてもよい。ユーザーは、放出される香りを嗅ぐために、カートリッジまたは支持体を掴み、放出ポート近くに鼻を近づけることができる。あるいは、同様にして一連のパイプを放出ポートに接続して、ユーザーが、支持体またはカートリッジから離れた位置で香りを知覚できるようにすることができる。
【００４５】
香り調合を知覚するための、非常に簡単な本発明の操作手段について説明したが、当業者であれば、所望の結果を得るために、支持体および／またはカートリッジとポンプ装置とを係合させる多くの方法があることを理解するであろう。別のいくつかの具体的な態様を、図面を参照して説明する。
前述の本発明の説明に関して、本発明のカートリッジは、聴覚提示および視覚提示に対する知覚強化に関する多数の応用において有用であることを、当業者は理解するであろう。すなわち、本発明は、本明細書に記載のカートリッジおよび／または支持体を使用または備えることによって、聴覚提示および視覚提示に対する感覚器認知を強化するための方法とデバイスに関する。
【００４６】
本明細書に記述したように、支持体に収納されるカートリッジは、香り材料のサンプルを貯蔵する簡便な手段を表す。これらのカートリッジは、製造が容易で安価であるとともに、機械的に強靭かつ軽量で、取り扱いおよび貯蔵が容易である。さらに、これらは、顧客に香りサンプルを供給する調香士に対して、相当に安価でより効率的な手段となる。これによって顧客には、現在使用されている瓶入り液体のタイプではない、すなわち取り扱いの難しさや汚染の問題のない、清潔で簡便な香り材料の供給源がもたらされる。
【００４７】
カートリッジおよびそれを収納するか、またはそれを受け入れるように適合されたデバイスは、主として、新しい調合を顧客に提示することを望む調合士にとって有用である。ポンプを収納する、簡便で小型化された携帯可能なデバイスの提供が可能であり、このデバイスは、カートリッジまたは適当な支持体上に収納されたカートリッジを受け入れるように適合されている。カートリッジは一連の香り調合を保留するとともに、ある特定の視聴覚表示に対して同期させたチップを備えている。デバイスは、顧客のＰＣに取り付けられ、カートリッジは、そのデバイス中に装入または接続される。視聴覚表示の起動は、ユーザーの制御をし易くするために対話式としてもよく、それによって、カートリッジチップが読み出されて、ポンプが、所定の順序で適当なカートリッジを通してキャリアーガスを送り出す。
【００４８】
したがって、本発明はまた、カートリッジまたは、上述のようにカートリッジを収納してそこにキャリアーガスを通す支持体と、香り含有キャリアーガスの流れを運ぶためにカートリッジからつながる導管とを含み、この導管が、ユーザーにヘッドスペースを提示するための１つまたは複数の放出口を有する、デバイスを提供する。
本発明を、非限定の好ましい態様を示す図面を参照して、さらに説明する。
【００４９】
図１ａおよび図１ｂに示すカートリッジは、それぞれがリザーバ（５）と１つの終端で接続する、注入毛細管（３）および放出毛細管（４）からなる、概して細長い物体（１）であり、リザーバは、香り材料を保留するための多孔質および／または吸収性材料（６）を収納する。毛細管の他の終端には、それぞれ、キャリアーガスの流入と香り含有キャリアーガスの流出をそれぞれ可能にする、注入ポート（７）および放出ポート（８）がある。注入毛細管および放出毛細管は、香り材料、基板材料またはその他任意の粒子状物質が、リザーバから搬送されて、注入毛細管および放出毛細管を介してカートリッジ外に搬送されるのを防止するための、フィルタ（９）を収納する。さらに、注入毛細管（３）には、キャリアーガスによってカートリッジ中に運ばれるすべての感覚刺激性の物質も除去するために、活性炭素フィルタ（１０）が備えられている。
【００５０】
各カートリッジは、シール層（１１）によってシールされている。シーリングは、適当な材料を支持（２）上にレーザー溶接することによって達成することができる。
この態様においては、それぞれの放出カートリッジには、別個の放出ポートが設けられているが、代替の態様においては、放出毛細管は、マニホールド型配設に収束させて、すべての放出毛細管が共通の放出ポートを共有するようにしてもよい。
図２ａは、複数のカートリッジを支持体の内部に収納する、概して円筒状支持体（１２）を示す。カートリッジの詳細は、表現を容易にするために示していない。
図２ｂは、その詳細を示してはいないが、複数のカートリッジを収納する支持体（１３）の、好ましいクレジットカード設計を斜視図で示している。
【００５１】
図３ａおよび図３ｂは、オリフィス（１５）中への矢印の方向に沿って、デバイス（１４）中に挿入される過程にある、図２ａおよび２ｂの支持体を示す。デバイス中に挿入されると、カートリッジの注入ポートは、ポンプ手段（図示せず）から延びる毛細管と整列するとともに、実質的に気密に連通して位置決めされる。支持体（１３）の外表面上の読み出し可能マイクロプロセッサチップ（図示せず）は、デバイスによって読み出し可能であり、それによって、デバイスが起動されると、視覚または音響パフォーマンスと同期させることのできる所定の順序に従って、ポンプ手段が、キャリアーガスを適当なカートリッジの注入毛細管中に送り出す。この簡単な配設において、カートリッジの放出ポート（８）は、香り含有キャリアーガス（１６）を、オリフィスのすぐ回りのヘッドスペース中に送り出し、そこで、ユーザー（１７）がそれを検出することができる。
【００５２】
もちろんのこと、放出毛細管は、香り含有キャリアーガスをデバイスから離れた位置に運ぶことのできる導管（図示せず）に接続することも可能であり、この場合には、ユーザーは、導管の放出口近傍のヘッドスペース中に放出される香り材料を知覚することができる。ソケット（１８）は、デバイスを主電源またはバッテリなどの電源に接続するための簡易プラグである。別の選択肢として、ソケットは、デバイスをコンピュータ端末またはその他に接続するための、ＵＳＢコネクタとすることもできる。あるいは、ソケットは、Blue Tooth（登録商標）コネクタ、またはデバイスに起動に対する無線伝達を可能にする代替無線コネクタとすることができる
【００５３】
図４ａは、旋回可能に装着された導管（２０）を収納するデバイス（１９）を示し、この導管は、デバイスに収納されたカートリッジの放出毛細管に内部的に接続され、それによって、カートリッジから放出される香りを、デバイスから離れた場所にいるユーザーが知覚することができる。図４ｂは、代替的な設計変形形態であり、これによって、香り材料の遠隔知覚が、デバイス（２３）内に収納されたカートリッジに接続された導管（２２）を有するヘッドセット装置（２１）によって達成され、この導管は、その一端でヘッドセットに固定されており、使用時には、導管の放出口（２４）が、ヘッドセットを着用するユーザーの鼻の下に位置するようになっている。
【図面の簡単な説明】
【００５４】
【図１ａ】２つのカートリッジを含む支持体の平面図である。
【図１ｂ】図１ａの態様の、線分ＡＡ’に沿った長手方向断面図である。
【図２ａ】複数のカートリッジをその中に収納する支持体の概略斜視図である。
【図２ｂ】好ましいクレジットカード形態をした、別のタイプの支持体を示す概略斜視図である。
【図３ｂ】図２ａおよび図２ｂの支持体のデバイス中への装入を表す概略図である。
【図４】本発明によるカートリッジに使用するデバイスの斜視図である。
【図５】本発明によるカートリッジに使用する代替デバイスの斜視図である。
【図１ａ】
2005533544.tif 000005
【図１ｂ】
2005533544.tif 000006
【図２ａ】
2005533544.tif 000007
【図２ｂ】
2005533544.tif 000008
【図３ａ】
2005533544.tif 000009
【図３ｂ】
2005533544.tif 000010
【図４】
2005533544.tif 000011
【図５】
2005533544.tif 000012
【国際調査報告】
2005533544.tif 000013
2005533544.tif 000014
2005533544.tif 000015